(57)【要約】【課題】所望の相手のみを指定した呼出が可能となるワイヤレスインターホンシステムを提供する。【解決手段】インターホン親機１あるいはインターホン子機２の各々は、呼出先とすべきインターホン親機１あるいはインターホン子機２の選択操作をする選択操作手段Ｂ２と、この選択操作手段Ｂ２の操作による呼出先選択状態を表示する表示手段Ｌと、呼出操作をする呼出操作手段Ｂ１と、呼出時には、選択操作手段Ｂ２の操作によって選択されている呼出先を表示手段Ｌに表示し、呼出操作手段Ｂ１によって呼出操作がされたときには、呼出先となるインターホン親機１あるいはインターホン子機２のみを呼び出す一方、被呼出時には、呼出処理を行う制御手段とを備える。【選択図】図１
2004179833.tif 000002
【特許請求の範囲】
【請求項１】
インターホン親機とインターホン子機間、あるいは、インターホン子機間での無線通信をすることにより相互通話ができるワイヤレスインターホンシステムにおいて、
上記インターホン親機あるいは上記インターホン子機の各々は、呼出先とすべき上記インターホン親機あるいは上記インターホン子機の選択操作をする選択操作手段と、
この選択操作手段の操作による呼出先選択状態を表示する表示手段と、
呼出操作をする呼出操作手段と、
呼出時には、上記選択操作手段の操作によって選択されている呼出先を上記表示手段に表示し、呼出操作手段によって呼出操作がされたときには、呼出先となる上記インターホン親機あるいは上記インターホン子機のみを呼び出す一方、被呼出時には、呼出処理を行う制御手段とを備えていることを特徴とするワイヤレスインターホンシステム。
【請求項２】
請求項１において、
上記インターホン親機は、この親機とすべての子機との識別情報を、登録番号を割り付けて登録した登録手段を備え、
上記インターホン子機は、少なくとも、上記親機の識別情報と、上記インターホン子機の識別情報の上記インターホン親機における登録番号とを登録した登録手段を備えており、
上記インターホン親機あるいは上記インターホン子機の制御手段は、呼出先が選択されて呼出操作がされたときには、上記登録手段より、呼出先の登録番号と親機の識別情報とを読み出して、他のインターホン親機あるいはインターホン子機に送出する一方、
他のインターホン親機あるいはインターホン子機から、上記呼出先の登録番号と上記親機の識別情報とが送出されてきたときには、これらの情報が上記登録手段にあるかを判断し、あれば、呼出処理をする構成としたワイヤレスインターホンシステム。
【請求項３】
請求項２において、
上記インターホン親機あるいは上記インターホン子機の制御手段は、呼出先が選択されて呼出操作がされたときには、上記登録手段より、このインターホン自身の上記インターホン親機における登録番号を更に読み出して、他のインターホン親機あるいはインターホン子機に送出する一方、
他のインターホン親機あるいはインターホン子機からの呼出に対する呼出処理をする際には、そのインターホン親機あるいは子機から送出されてきた呼出側の登録番号を、上記表示手段によって表示させる構成としたワイヤレスインターホンシステム。
【請求項４】
請求項２または３において、
上記インターホン親機の制御手段は、上記インターホン子機の識別情報を登録する登録モードを実行し、上記インターホン子機の登録番号が指定された状態で、上記インターホン子機からその識別情報が送信されてきたときには、その識別情報を指定された登録番号を割り付けて登録し、ついで、この親機の識別情報と、指定された登録番号とを上記インターホン子機に返信し、
上記インターホン子機の制御手段は、上記登録モードにある上記インターホン親機から、上記親機の識別情報と指定された登録番号とが返信されてきたときには、これらの情報を登録する構成としたワイヤレスインターホンシステム。
【請求項５】
請求項４において、
上記インターホン親機の制御手段は、上記登録モードにおいては、１つの登録番号に対して、複数のインターホン子機の識別情報を重複して登録できる構成としたワイヤレスインターホンシステム。
【発明の詳細な説明】
【０００１】
【発明の属する技術分野】
本発明は、インターホン親機とインターホン子機間、あるいは、インターホン子機間での無線通信をすることにより相互通話ができるワイヤレスインターホンシステムの改良に関する。
【０００２】
【従来の技術】
従来より、下記特許文献１のようなワイヤレスインターホンシステムが使用されている。
【０００３】
このものは、インターホン親機の識別情報をキーとして、その親機と、キーとなる親機の識別情報を登録した子機とで１つの通話グループを形成しており、親機あるいは子機のいずれかにおいて、所定の呼出操作をすれば、呼出操作をした機器以外で、親機の識別情報をもつすべての機器で呼出処理が行われ、最初に応答したものが、呼出をした機器との間で通話するようにしている。
【０００４】
【特許文献１】
特開２００２−２０９０２１号公報
【発明が解決しようとする課題】
ところが、上記した従来のワイヤレスインターホンシステムでは、親機の識別情報をもつすべての他の機器を呼び出す構成であるため、いずれかの機器を指定して呼び出すことができず、本来呼び出そうとはしていない相手まで呼び出してしまうことがあり、不都合が生じていた。
【０００５】
本発明は、上記事情を考慮して提案されるものであり、所望の相手のみを指定した呼出が可能となるワイヤレスインターホンシステムを提供することを目的としている。
【０００６】
【課題を解決するための手段】
上記目的を達成するために、本発明の請求項１、２では、第１の本発明を提案しており、請求項１では、インターホン親機あるいはインターホン子機の各々は、呼出先とすべきインターホン親機あるいはインターホン子機の選択操作をする選択操作手段と、この選択操作手段の操作による呼出先選択状態を表示する表示手段と、呼出操作をする呼出操作手段と、呼出時には、選択操作手段の操作によって選択されている呼出先を表示手段に表示し、呼出操作手段によって呼出操作がされたときには、呼出先となるインターホン親機あるいはインターホン子機のみを呼び出す一方、被呼出時には、呼出処理を行う制御手段とを備えていることを特徴とする。
【０００７】
請求項２では、請求項１の具体的な実現手段を提案しており、インターホン親機は、この親機とすべての子機との識別情報を、登録番号を割り付けて登録した登録手段を備え、インターホン子機は、少なくとも、親機の識別情報と、インターホン子機の識別情報のインターホン親機における登録番号とを登録した登録手段を備えており、インターホン親機あるいはインターホン子機の制御手段は、呼出先が選択されて呼出操作がされたときには、登録手段より、呼出先の登録番号と親機の識別情報とを読み出して、他のインターホン親機あるいはインターホン子機に送出する一方、他のインターホン親機あるいはインターホン子機から、呼出先の登録番号と親機の識別情報とが送出されてきたときには、これらの情報が登録手段にあるかを判断し、あれば、呼出処理をする構成とした。
【０００８】
請求項３では、第２の本発明を提案しており、インターホン親機あるいはインターホン子機の制御手段は、呼出先が選択されて呼出操作がされたときには、登録手段より、このインターホン自身のインターホン親機における登録番号を更に読み出して、他のインターホン親機あるいはインターホン子機に送出する一方、他のインターホン親機あるいはインターホン子機からの呼出に対する呼出処理をする際には、そのインターホン親機あるいは子機から送出されてきた登録番号を、表示手段によって表示させる構成とした。
【０００９】
請求項４、５では、第１，２の本発明における登録手段への登録手法について提案しており、請求項４では、インターホン親機の制御手段は、インターホン子機の識別情報を登録する登録モードを実行し、インターホン子機の登録番号が指定された状態で、インターホン子機からその識別情報が送信されてきたときには、その識別情報を指定された登録番号を割り付けて登録し、ついで、この親機の識別情報と、指定された登録番号とをインターホン子機に返信し、インターホン子機の制御手段は、登録モードにあるインターホン親機から、親機の識別情報と指定された登録番号とが返信されてきたときには、これらの情報を登録する構成とした。
【００１０】
請求項５では、インターホン親機の制御手段は、登録モードにおいては、１つの登録番号に対して、複数のインターホン子機の識別情報を重複して登録できる構成とした。
【００１１】
【発明の実施の形態】
以下に、本発明の実施の形態について、図面とともに説明する。図１は、第１、２の本発明のシステム構成の一例を示す図である。
【００１２】
このシステムは、インターホン親機１とインターホン子機２Ａ〜２Ｃで構成されており、それぞれのインターホンには、登録番号表示灯Ｌ、呼出ボタンＢ１、相手先指定釦Ｂ２、応答釦Ｂ３を備えている。なお、これらの機能は後述する。
【００１３】
それぞれのインターホン１，２は、図２に示すように、ＣＰＵなどで構成される制御装置１０と、アンテナＡＮＴを有し、無線信号の送受をする無線装置１１と、登録番号表示灯Ｌなどで構成される表示装置１２と、記憶装置１３と、先述のボタンＢ１〜Ｂ３とを備えて構成される。
【００１４】
なお、このインターホン１，２では、制御装置１０が制御手段を構成しており、登録番号表示灯Ｌが表示手段を構成しており、相手先指定釦Ｂ２が選択操作手段を構成しており、呼出釦Ｂ１が呼出操作手段を構成している。
【００１５】
図３は、インターホン１，２のそれぞれの記憶装置１３の登録内容を示す図である。図３（ａ）は、親機１の登録内容を示しており、親機１自身の識別情報に対して登録番号０を割り付けて登録し、子機２Ａ〜２Ｃの識別情報のそれぞれに対し、登録番号を１から昇順に割り付けて登録している。
【００１６】
図３（ｂ）は、子機２Ａの登録内容を示しており、子機２Ａ自身の識別情報に対して登録番号０を割り付けて登録し、親機１の識別情報に対して登録番号１を割り付けて登録している。
また、この子機２Ａの識別情報は、図３（ａ）に示すように、親機１においては登録番号１で登録されているので、この登録番号１に登録番号２を割り付けて登録している。
【００１７】
図３（ｃ）は、子機２Ｂの登録内容を示しており、子機２Ｂ自身の識別情報に対して登録番号０を割り付けて登録し、親機１の識別情報に対して登録番号１を割り付けて登録している。
また、この子機２Ｂの識別情報は、図３（ａ）に示すように、親機１においては登録番号２で登録されているので、この登録番号２に登録番号２を割り付けて登録している。
【００１８】
なお、登録する識別情報としては、ここでは、ＩＤコードを登録しているが、これには限られず、それぞれのインターホン１，２を識別できる情報であればよい。
【００１９】
このような構成によれば、以下に説明する呼出処理がされる。これについて、図４のフローチャートとともに説明する。
【００２０】
呼出側となるインターホン１，２では、待機状態では、相手先指定釦Ｂ２を操作する毎に、登録番号表示灯Ｌは、その発光が切り替わり、呼出先となるインターホン１，２を表示するようにしている。
【００２１】
この相手先指定釦Ｂ２が操作され、呼び出すべきインターホン１，２が指定された状態で、呼出釦Ｂ１が操作されれば（１００）、制御装置１０によって、記憶手段１３から、呼出先の登録番号と、親機１の識別情報を読み取り、無線装置１１より送出する（１０１）。
【００２２】
ついで、記憶手段１３から、この呼出側となるインターホン１，２が親機１で登録されている登録番号を読み出し、無線装置１１より送出する（１０２）。
【００２３】
そして、これらの情報、すなわち、呼出先の登録番号と、親機１の識別情報と、呼出側の登録番号とを受信した他のインターホン１，２では、呼出先の登録番号と、親機１の識別情報とが自身の記憶手段に登録されていれば、呼出側の登録番号を登録番号表示灯Ｌで表示して、呼出処理を行い、応答釦Ｂ３の操作があれば、呼出側との通話状態とする（１０３，１０５，１０６）。一方、呼出先の登録番号と、親機１の識別情報とが自身の記憶手段に登録されていなければ、待機状態を維持する（１０３，１０５）。
【００２４】
これを更に説明すると、例えば、親機１から子機２Ａを呼び出す際には、親機１では相手先指定釦Ｂ２の操作により、子機２Ａを選択する。すると、親機１の登録番号表示灯Ｌのうち、上から２段目の表示灯Ｌが表示され、子機２Ａが選択されていることを確認できる。
【００２５】
この状態で、呼出釦Ｂ１が操作されると、記憶装置１３から、呼出先の登録番号「１」と、親機１の識別情報「○○○○○○」とを読み出し、更に、自身が親機１で登録されている登録番号、つまり、親機１の識別情報「○○○○○○」に対応する登録番号「０」を読み出し、これらの情報を送出する。
【００２６】
これを被呼出側の子機２Ａを受信すると、この記憶装置１３には、呼出先の登録番号「１」と、親機１の識別情報「○○○○○○」とが登録されているので、呼出処理が行われ、このとき、親機１の登録番号「０」を登録番号表示灯Ｌで表示する。
【００２７】
これにより、親機１の識別情報をキーとして、その親機１と、キーとなる親機１の識別情報を登録した子機２Ａ〜２Ｃとで１つの通話グループを形成できる他、その通話グループのうち、所望のインターホン１，２のみを指定した呼出が可能となり、使い勝手がよい。
【００２８】
また、呼出をしたインターホン１，２が、被呼出側で表示されるため、被呼出側でどこから呼出を受けたかが容易に確認でき、利便である。
【００２９】
図５は、先述したインターホン１，２の記憶手段１３への登録手法について説明するためのフローチャートである。すなわち、親機１では、裏面などに設けられた登録モード実行釦（不図示）を操作すると、後述する登録モードを実行するようにしている。
【００３０】
登録モードが実行されると（２００）、相手先指定釦Ｂ２を操作して、子機２Ａ〜２Ｃに対して割り付けるべき登録番号を、登録番号表示灯Ｌの表示を切り替えることによって選択する。
【００３１】
このような選択操作がされた状態で（２０１）、子機２Ａから２Ｃのいずれにおいて、子機２Ａから２Ｃの裏面などに設けられた登録送信釦（不図示）が操作されて、その識別情報が送信されると（２０２）、親機１は、選択された登録番号を割り付けて、送信されてきた識別情報を記憶装置１３に登録する（２０３）。
【００３２】
ついで、親機１は、選択された登録番号と、親機１の識別情報とを子機２Ａ〜２Ｃに返信し（２０４）、これを子機２Ａ〜２Ｃが受信すると、これらの情報のそれぞれに登録番号を割り付けて記憶装置１３に登録する（２０５）。
【００３３】
これにより、上記した呼出処理をするために必要な記憶手段１３への情報登録が容易となる。なお、登録モードを終了させるには、再度、親機１の登録モード実行釦を操作するなどの終了操作をさせる他、登録モード開始から一定時間経過後、自動終了するようにすればよい。
【００３４】
ここで、親機１は、１つの登録番号に対して、複数の子機２Ａ〜Ｃの識別情報を重複して登録できる構成としてもよい。このような構成における記憶手段１３の登録内容を図６に示しており、１つの登録番号１に対して、子機２Ａ，２Ｂという複数の子機の識別情報が登録されている。
【００３５】
その具体的手法としては、例えば、以下の２通りがある。一方は、ステップ２０１における登録番号選択時において、その登録番号を割り付けた識別情報が記憶装置１３に存在していてもなお、その登録番号選択操作を受け付け、選択された登録番号について、他の子機２Ａ〜２Ｃの識別情報を登録する手法である。
【００３６】
他方は、ステップ２０２において、重複させたい複数の子機２Ａ〜Ｃすべてについて、これらの登録送信釦を同時に操作してこれらの識別情報を同時出力させ、これを受信した親機１が、選択されている登録番号を割り付けて登録する手法である。
【００３７】
このように、１つの登録番号を、複数の子機２Ａから２Ｃの識別情報に割り付けて登録させれば、同じ登録番号に複数の子機２Ａ〜Ｃを登録でき、同一の登録番号の子機２Ａ〜２Ｃをグループ化してまとめて呼び出すことができ、利便にできる。
【００３８】
【発明の効果】
以上の説明からも理解できるように、本発明の請求項１では、インターホン親機あるいはインターホン子機の各々は、呼出時には、呼出先とすべきインターホンを表示させて選択できて便利な上、選択した呼出先のみを呼び出して、呼出処理をさせることができ、本来呼び出したい相手のみを呼び出すことができ、利便である。
【００３９】
請求項２では、インターホン親機あるいはインターホン子機は、呼出先が選択されて呼出操作がされたときには、登録手段より、呼出先の登録番号と親機の識別情報とを読み出して、他のインターホン親機あるいはインターホン子機に送出する一方、他のインターホン親機あるいはインターホン子機から、呼出先の登録番号と親機の識別情報とが送出されてきたときには、これらの情報が登録手段にあるかを判断し、あれば、呼出処理をするので、請求項１の発明思想を容易に具体化できる。
【００４０】
請求項３では、インターホン親機あるいはインターホン子機は、呼出先が選択されて呼出操作がされたときには、登録手段より、自身が親機に登録されている登録番号を更に読み出して、他のインターホン親機あるいはインターホン子機に送出する一方、他のインターホン親機あるいはインターホン子機からの呼出に対する呼出処理をする際には、そのインターホン親機あるいは子機から送出されてきた呼出側の登録番号を、表示手段によって表示させるので、被呼出側のインターホンでは、どのインターホンからの呼出を受けているかを容易に確認でき、利便である。
【００４１】
請求項４では、インターホン親機は、インターホン子機の登録番号が指定された状態で、インターホン子機からその識別情報が送信されてきたときには、その識別情報を指定された登録番号を割り付けて登録し、ついで、この親機の識別情報と、指定された登録番号とをインターホン子機に返信し、インターホン子機の制御手段は、登録モードにあるインターホン親機から、親機の識別情報と指定された登録番号とが返信されてきたときには、これらの情報を登録するので、親機で子機の登録番号を指定した状態で、子機よりその識別情報を送出させるだけで、親機、子機の双方には、請求項１〜３の呼出処理をするための情報を登録手段に登録できるので、不慣れなユーザでも容易に登録作業を行うことができる。
【００４２】
請求項５では、インターホン親機の制御手段は、登録モードにおいては、１つの登録番号に対して、複数のインターホン子機の識別情報を重複して登録できるので、同じ登録番号に複数の子機を登録でき、同一の登録番号の子機をグループ化してまとめて呼び出すことができ、利便にできる。
【図面の簡単な説明】
【図１】本発明のシステム構成の一例を示す図。
【図２】インターホン親機、子機の内部構成例を示す図
【図３】インターホン親機、子機の記憶装置における登録内容例を示す図
【図４】本発明の呼出処理について説明するためのフローチャート
【図５】本発明の登録処理について説明するためのフローチャート
【図６】インターホン親機の記憶装置における登録内容の他例を示す図
【符号の説明】
１・・・インターホン親機
２・・・インターホン子機
１０・・・制御装置
１３・・・記憶装置
Ｂ１・・・呼出釦
Ｂ２・・・相手先指定釦
Ｌ・・・登録番号表示灯
【図１】
2004179833.tif 000003
【図２】
2004179833.tif 000004
【図３】
2004179833.tif 000005
【図４】
2004179833.tif 000006
【図５】
2004179833.tif 000007
【図６】
2004179833.tif 000008